(57)【要約】【課題】必要な時には外部からの操作によりロックを簡単に外すことができると共に、必要でない時には、外から物が当たった場合でも、間違ってロックが簡単に外れないようにすること。【解決手段】小径筒部２３と大径筒部２２と連結壁２１とを備えたグロメットアウタ２０と、グロメットアウタの内周側に一体的に嵌合され、パネルの貫通孔の孔縁に抜け止めロックされる可撓性のロックアーム１４を有したグロメットインナ１０と、を備え、自身の持つ弾性力に抗してロックアームを半径方向内方へ変位させることにより、ロック解除できるグロメットにおいて、グロメットアウタの連結壁の内面に、連結壁の平坦な外面を押し込んで凹ませることにより、ロックアームを半径方向内方へ押圧変位させる凸部２８を設け、凸部に押圧斜面２８ａを設けた。【選択図】図１
2008041278.tif 000002
【特許請求の範囲】
【請求項１】
パネルの貫通孔に挿通されるハーネスをシールしながら支持する小径筒部と、前記パネルの一方の板面に密着することで当該パネルの貫通孔をシールするシールリップを有した大径筒部と、前記パネルと略平行に配される板状をなしており前記小径筒部と前記大径筒部を連結する円板状の連結壁と、を備える軟質材料製のグロメットアウタと、
前記グロメットアウタの内周側に一体的に嵌合される環状体として構成され、前記パネルの一方の板面側から当該パネルの貫通孔に押し込まれた際に、前記パネルの貫通孔の孔縁に抜け止めロックされる可撓性のロックアームを有したグロメットインナと、
を備え、
自身の持つ弾性力に抗して前記ロックアームを半径方向内方へ変位させることにより、前記パネルの貫通孔の孔縁に対する前記ロックアームのロックを解除することのできるグロメットであって、
前記グロメットアウタの円板状の前記連結壁の内面に、該連結壁の平坦な外面を押し込んで凹ませることにより、前記ロックアームを半径方向内方へ押圧変位させる凸部を設けたことを特徴とするグロメット。
【請求項２】
前記凸部の周囲の前記連結壁に、外部からの押し込み変形を容易にする薄肉部を設けたことを特徴とする請求項１に記載したグロメット。
【請求項３】
前記凸部に、前記連結壁が外部から押し込まれたとき、前記ロックアームの先端に接触して、押し込まれる方向の力を前記ロックアームを半径方向内方へ撓ませる力として、当該ロックアームの先端に作用させる押圧斜面を設けたことを特徴とする請求項１または請求項２に記載したグロメット。
【請求項４】
パネルの貫通孔に挿通されるハーネスをシールしながら支持する小径筒部と、前記パネルの一方の板面に密着することで当該パネルの貫通孔をシールするシールリップを有した大径筒部と、前記パネルと略平行に配される板状をなしており前記小径筒部と前記大径筒部を連結する円板状の連結壁と、を備える軟質材料製のグロメットアウタと、
前記グロメットアウタの内周側に一体的に嵌合される環状体として構成され、前記パネルの一方の板面側から当該パネルの貫通孔に押し込まれた際に、前記パネルの貫通孔の孔縁に抜け止めロックされる可撓性のロックアームを有したグロメットインナと、
を備え、
自身の持つ弾性力に抗して前記ロックアームを半径方向内方へ変位させることにより、前記パネルの貫通孔の孔縁に対する前記ロックアームのロックを解除することのできるグロメットであって、
前記連結壁に、該連結壁を貫通しその貫通部を支点にして揺動可能であり、且つ、前記連結壁の外部に突出した外端を半径方向外方に押し倒すことで前記連結壁の内部に突出した内端で前記ロックアームを半径方向内方に押圧変位させる解除バーを設けたことを特徴とするグロメット。
【請求項５】
前記解除バーを構成する硬質材料製の芯材を、前記グロメットアウタを構成する軟質材料の内部に埋め込んだことを特徴とする請求項４に記載したグロメット。
【発明の詳細な説明】
【技術分野】
【０００１】
本発明は、自動車等といった車両の車体のパネルの貫通孔にハーネスを挿通させる際にパネルとハーネスの隙間をシールしながら、ハーネスを無理なく支持するためのグロメットに関するものである。
【背景技術】
【０００２】
従来から、この種のグロメットとしては、全体をゴム材で構成したものが使用されていた。しかし、長期間使用した場合、ゴム材が劣化してパネルから外れ易く、また、嵌合する際の摩擦抵抗が大きくパネルへの装着性が悪い等の問題があることから、グロメットを２部品に分けて構成し、パネルの貫通孔に嵌合される部分を硬質合成樹脂で形成したものが提案されている。
【０００３】
従来の自動車等に使用される２部品構成のグロメットは、軟質材料製のグロメットアウタと、該グロメットアウタの内側に嵌合される硬質樹脂製のグロメットインナとから構成されており、グロメットインナに形成したロックアームでパネルの貫通孔にロックするようになっている。
【０００４】
ところが、グロメットインナはグロメットアウタの内側に隠れる部品であるため、一旦、パネルの貫通孔にグロメットインナをロックさせると、何らかの事情でロックを外す場合に、外し難かったり外せなかったりする問題がある。
【０００５】
そこで、グロメットアウタの外からの操作で、グロメットインナのロックを外せるようにしたグロメットが、例えば特許文献１にて提案されている。図５および図６は、特許文献１に記載された、その種のグロメットの各例を示す断面図である。
【０００６】
図５に示すグロメットは、グロメットインナ５１０とグロメットアウタ５２０とを備える。グロメットアウタ５２０は、パネル１００の貫通孔１００ａに挿通されるハーネスをシールしながら支持する小径筒部（不図示）と、パネル１００の一方の板面に密着することでパネル１００の貫通孔１００ａをシールするシールリップ５２４を有した大径筒部５２２と、パネル１００と略平行に配される板状をなしており前記小径筒部（不図示）と大径筒部５２２を連結する円板状の連結壁５２１と、を備える軟質材料（主にゴム）製の成形品である。
【０００７】
グロメットインナ５１０は、グロメットアウタ５２０の内周側に一体的に嵌合される硬質樹脂製の環状体であり、グロメットアウタ５２０の大径筒部５２２の内周溝５２５に外周が嵌合される円環状基板５１１と、この円環状基板５１１に垂設された筒壁５１２と、筒壁５１２の先端より円環状基板５１１側に向けて湾曲状に連設されたロックアーム５１４と、を有している。ロックアーム５１４は、筒壁５１２の先端に連続する基端５１３を支点にして、半径方向に可撓性を有しており、先端側の外側面に設けられた段差状の係合部５１５により、パネル１００の貫通孔１００ａの孔縁にロックするようになっている。
【０００８】
そして、このグロメットにおいては、ロックアーム５１４の自由端（先端）側に、該自由端と筒壁５１２とを連結する連結片５１７が設けられ、その連結片５１７に、円環状基板５１１の挿通孔５１８を突き抜ける解除ロッド５１６が突設され、その解除ロッド５１６の先端を、グロメットアウタ５２０の連結壁５２１に設けた外面側に凸の押しボタン部５２６の内部空間５２６ａに位置させ、連結壁５２１の外面の押しボタン部５２６を押して、解除ロッド５１６を押し下げることで、連結片５１７を押し曲げ、その連結片５１７の曲げ変形により、ロックアーム５１４の自由端側を、自身の持つ弾性力に抗して半径方向内方に変位させ、それにより、パネル１００の貫通孔１００ａの孔縁に対するロックアーム５１４の係止部５１５のロックを解除するようになっている。
【０００９】
また、図６に示すグロメットは、グロメットインナ６１０とグロメットアウタ６２０とを備える。グロメットアウタ６２０は、パネル１００の貫通孔１００ａに挿通されるハーネスをシールしながら支持する小径筒部６２３と、パネル１００の一方の板面に密着することでパネル１００の貫通孔１００ａをシールするシールリップ６２４を有した大径筒部６２２と、パネル１００と略平行に配される板状をなしており前記小径筒部６２３と大径筒部６２２を連結する円板状の連結壁６２１と、を備える軟質材料（主にゴム）製の成形品である。
【００１０】
グロメットインナ６１０は、グロメットアウタ６２０の内周側に一体的に嵌合される硬質樹脂製の環状体であり、グロメットアウタ６２０の大径筒部６２２の内周溝６２５に外周が嵌合される円環状基板６１１と、この円環状基板６１１に垂設された筒壁６１２と、筒壁６１２の先端より円環状基板６１１側に向けて連設されたロックアーム６１４と、を有している。ロックアーム６１４は、筒壁６１２の先端に連続する基端６１３を支点にして、半径方向に可撓性を有しており、先端側の外側面に設けられた段差状の係合部６１５により、パネル１００の貫通孔１００ａの孔縁にロックするようになっている。
【００１１】
そして、このグロメットにおいては、ロックアーム６１４の自由端（先端）側に解除レバー６１６が延設されており、その解除レバー６１６の先端を、グロメットアウタ６２０の連結壁６２１に設けた袋状部６２６の内部空間６２６ａに位置させ、袋状部６２６の外側から解除レバー６１６を半径方向内方に押し倒すことで、ロックアーム６１４の自由端側を、自身の持つ弾性力に抗して半径方向内方に変位させ、それにより、パネル１００の貫通孔１００ａの孔縁に対するロックアーム６１４の係止部６１５のロックを解除するようになっている。
【００１２】
【特許文献１】実開平７−１４５２０号公報
【発明の開示】
【発明が解決しようとする課題】
【００１３】
ところで、図５に示したグロメットは、解除操作のための押しボタン部５２６を、グロメットアウタ５２０の連結壁５２１に外面が凸となるように設けているので、この押しボタン部５２６に外から物が当たった場合に、不用意にロックが外れてしまう可能性がある。
【００１４】
また、図６に示したグロメットも、グロメットアウタ６２０の内部空間６２６に先端を位置させた解除レバー６１６を、半径方向内方に倒すことでロックを解除するようにしているので、袋状部６２６を介して解除レバー６１６に外から物が当たった場合に、ロックが外れてしまう可能性がある。
【００１５】
本発明は、上述した事情に鑑みてなされたものであり、その目的は、必要な時には外部からの操作によりロックを簡単に外すことができると共に、必要でない時には、外から物が当たった場合でも、間違ってロックが簡単に外れないようにしたグロメットを提供することにある。
【課題を解決するための手段】
【００１６】
前述した目的を達成するため、本発明に係る第１のグロメットは、下記（１）〜（３）を特徴としている。
（１）  パネルの貫通孔に挿通されるハーネスをシールしながら支持する小径筒部と、前記パネルの一方の板面に密着することで当該パネルの貫通孔をシールするシールリップを有した大径筒部と、前記パネルと略平行に配される板状をなしており前記小径筒部と前記大径筒部を連結する円板状の連結壁と、を備える軟質材料製のグロメットアウタと、
前記グロメットアウタの内周側に一体的に嵌合される環状体として構成され、前記パネルの一方の板面側から当該パネルの貫通孔に押し込まれた際に、前記パネルの貫通孔の孔縁に抜け止めロックされる可撓性のロックアームを有したグロメットインナと、
を備え、
自身の持つ弾性力に抗して前記ロックアームを半径方向内方へ変位させることにより、前記パネルの貫通孔の孔縁に対する前記ロックアームのロックを解除することのできるグロメットであって、
前記グロメットアウタの円板状の前記連結壁の内面に、該連結壁の平坦な外面を押し込んで凹ませることにより、前記ロックアームを半径方向内方へ押圧変位させる凸部を設けたこと。
（２）  上記（１）の構成のグロメットにおいて、
前記凸部の周囲の前記連結壁に、外部からの押し込み変形を容易にする薄肉部を設けたこと。
（３）  上記（１）または（２）の構成のグロメットにおいて、
前記凸部に、前記連結壁が外部から押し込まれたとき、前記ロックアームの先端に接触して、押し込まれる方向の力を前記ロックアームを半径方向内方へ撓ませる力として、当該ロックアームの先端に作用させる押圧斜面を設けたこと。
【００１７】
上記（１）の構成のグロメットによれば、グロメットアウタの連結壁の外面を外から押し込んで凹ませることにより、連結壁の内面に設けた凸部によって、グロメットインナのロックアームをロック解除方向に変位させることができ、パネル貫通孔に対するグロメットのロックを解除することができる。また、グロメットアウタの連結壁の外面に凸状に出っ張る部分が存在しないので、グロメットに外から物が不用意に当たった場合にも、間違ってロックが解除されることがない。
上記（２）の構成のグロメットによれば、連結壁の所定箇所に薄肉部を設けたので、小さい力で連結壁を押し込み変形させることができ、内面の凸部によってロックアームをロック解除方向に変位させることができる。
上記（３）の構成のグロメットによれば、連結壁の外面を真っ直ぐに押し込むだけで、ロックアームをロック解除方向に確実に変位させることができる。
【００１８】
また、前述した目的を達成するため、本発明に係る第２のグロメットは、下記（４）および（５）を特徴としている。
（４）  パネルの貫通孔に挿通されるハーネスをシールしながら支持する小径筒部と、前記パネルの一方の板面に密着することで当該パネルの貫通孔をシールするシールリップを有した大径筒部と、前記パネルと略平行に配される板状をなしており前記小径筒部と前記大径筒部を連結する円板状の連結壁と、を備える軟質材料製のグロメットアウタと、
前記グロメットアウタの内周側に一体的に嵌合される環状体として構成され、前記パネルの一方の板面側から当該パネルの貫通孔に押し込まれた際に、前記パネルの貫通孔の孔縁に抜け止めロックされる可撓性のロックアームを有したグロメットインナと、
を備え、
自身の持つ弾性力に抗して前記ロックアームを半径方向内方へ変位させることにより、前記パネルの貫通孔の孔縁に対する前記ロックアームのロックを解除することのできるグロメットであって、
前記連結壁に、該連結壁を貫通しその貫通部を支点にして揺動可能であり、且つ、前記連結壁の外部に突出した外端を半径方向外方に押し倒すことで前記連結壁の内部に突出した内端で前記ロックアームを半径方向内方に押圧変位させる解除バーを設けたこと。
（５）  上記（４）の構成のグロメットにおいて、
前記解除バーを構成する硬質材料製の芯材を、前記グロメットアウタを構成する軟質材料の内部に埋め込んだこと。
【００１９】
上記（４）の構成のグロメットによれば、解除バーの連結壁外に突出した外端を半径方向外方に押し倒すことで、連結壁内に突出した内端でロックアームをロック解除方向に変位させることができ、パネル貫通孔に対するグロメットのロックを解除することができる。また、解除バーはグロメットアウタの連結壁の外面に凸状に出っ張ってはいるものの、解除操作する方向が半径方向の外側へ向かってであるから、グロメットに外から物が不用意に当たった場合でも、外側にはなかなか倒れにくく、それ故に間違ってロックが解除されるおそれがない。
上記（５）の構成のグロメットによれば、解除バーを構成する硬質材料製の芯材を、グロメットアウタを構成する軟質材料の内部に埋め込んでいるので、解除バーの貫通部分から連結壁のシールが破れるようなことがない。また、軟質材料で芯材を覆ったことにより、その覆った部分の全体で解除バーを支持することができるので、解除バーの操作時等に局部的に応力がかかることもなく、耐久性の向上を図れる。
【発明の効果】
【００２０】
本発明によれば、必要な時には外部からの操作によりロックを簡単に外すことができると共に、必要でない時には、外から物が当たった場合でも、間違ってロックが簡単に外れないグロメットを提供できる。
【００２１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２２】
以下、本発明の第１実施形態と第２実施形態を図面を参照しながら説明する。
＜第１実施形態＞
図１は第１実施形態のグロメットの構成を示す断面図、そして図２はロックを解除するための操作をしたときの同グロメットの状態を示す要部断面図である。
【００２３】
このグロメットは、グロメットインナ１０とグロメットアウタ２０とを備える。グロメットアウタ２０は、パネル１００の貫通孔１００ａに挿通されるハーネスをシールしながら支持する小径筒部２３と、パネル１００の一方の板面に密着することでパネル１００の貫通孔１００ａをシールするシールリップ２４を有した大径筒部２２と、パネル１００と略平行に配される板状をなしており前記小径筒部２３と大径筒部２２を連結する円板状の連結壁２１と、を備える軟質材料（主にゴム）製の成形品である。
【００２４】
グロメットインナ１０は、グロメットアウタ２０の内周側に一体的に嵌合される硬質樹脂製の環状体であり、グロメットアウタ２０の大径筒部２２の内周溝２５に外周が嵌合される円環状基板１１と、この円環状基板１１に垂設された筒壁１２と、筒壁１２の先端より円環状基板１１側に向けて湾曲状に連設されたロックアーム１４と、を有している。ロックアーム１４は、筒壁１２の先端に連続する基端１３を支点にして、半径方向に可撓性を有しており、先端側の外側面に設けられた段差状の係合部１５により、パネル１００の貫通孔１００ａの孔縁にロックするようになっている。また、ロックアーム１４の自由端（先端）側には解除レバー１６が延設されており、その解除レバー１６の先端を、図２のように半径方向内方に倒すことで、パネル１００の貫通孔１００ａの孔縁に対するロックアーム１４の係止部１５のロックを解除できるようになっている。
【００２５】
そして、このグロメットにおいては、グロメットアウタ２０の円板状の連結壁２１の内面に、連結壁２１の平坦な外面を押し込んで凹ませることにより、解除レバー１６を介してロックアーム１４を半径方向内方へ押圧変位させる凸部２８が設けられている。
【００２６】
この場合、凸部２８の周囲の連結壁２１には、外部からの押し込み変形を容易にするための薄肉部２６、２７が設けられている。また、凸部２８の半径方向の内側面には、連結壁２１が外部から押し込まれたときに、ロックアーム１４の先端に延設した解除レバー１６接触して、押し込まれる方向の力をロックアーム１４を半径方向内方へ撓ませる力として、解除レバー１６の先端に作用させる押圧斜面２８ａが設けられている。また、押圧斜面２８ａに隣接させて、解除レバー１６の先端の挿入される空間２９が確保されている。
【００２７】
このように構成されたグロメットによれば、図２の矢印Ａで示すように、グロメットアウタ２０の連結壁２１の外面を外から押し込んで凹ませることにより、連結壁２１の内面に設けた凸部２８によって、グロメットインナ１０のロックアーム１４をロック解除方向に変位させることができ、パネル１００の貫通孔１００ａに対するグロメットのロックを解除することができる。この場合、図５に示したグロメットと違って、グロメットアウタ２０の連結壁２１の外面に凸状に出っ張る部分が存在しないので、グロメットに外から物が不用意に当たった場合にも、間違ってロックが解除されることがない。
【００２８】
また、このグロメットにおいては、連結壁２１の所定箇所に薄肉部２６、２７を設けているので、小さい力で連結壁２１を押し込み変形させることができ、内面の凸部２８によってロックアーム１４をロック解除方向に容易に変位させることができる。
【００２９】
また、凸部２８の内側面に押圧斜面２８ａを設けているので、連結壁２１の外面を垂直に真っ直ぐに押し込むだけで、ロックアーム１４をロック解除方向に確実に変位させることができ、操作が簡単である。
【００３０】
＜第２実施形態＞
図３は第２実施形態のグロメットの構成を示す断面図、そして図４はロックを解除するための操作をしたときの同グロメットの状態を示す要部断面図である。
【００３１】
このグロメットは、グロメットインナ１０とグロメットアウタ１２０とを備える。グロメットインナ１０の構成は第１実施形態のものと全く同じであるので、同一構成要素に同一符号を付して説明を省略する。グロメットアウタ１２０は、要部だけ第１実施形態のものと異なるので、その他の同一構成要素には同一符号を付して説明を省略し、異なる要部についてのみ説明する。
【００３２】
このグロメットは、グロメットアウタ１２０の連結壁２１に、貫通状態で解除バー１２８を設けたことを特徴としている。即ち、この解除バー１２８は、連結壁２１を貫通し、その貫通部を支点にして揺動可能なものであり、連結壁２１の外部に突出した外端を半径方向外方に押し倒すことで、連結壁２１の内部に突出した内端でロックアーム１４の先端の解除レバー１６を半径方向内方に押圧変位させるようになっている。そして、解除バー１２８を構成する硬質材料製の芯材は、グロメットアウタ１２０を構成する軟質材料１２７の内部に埋め込んである。
【００３３】
このグロメットによれば、図４に示すように、解除バー１２８の連結壁２１外に突出した外端を、半径方向外方（矢印Ｂ方向）に押し倒すことで、連結壁２１内に突出した内端で、解除レバー１６の先端を半径方向内方に押し倒すことができ、それにより、ロックアーム１４をロック解除方向に変位させることができて、パネル１００の貫通孔１００ａに対するグロメットのロックを解除することができる。この場合、解除バー１２８はグロメットアウタ１２０の連結壁２１の外面に凸状に出っ張ってはいるものの、解除操作する方向が半径方向の外側へ向かってであるから、グロメットに外から物が不用意に当たった場合でも、外側にはなかなか倒れにくく、それ故に間違ってロックが解除されるおそれがない。
【００３４】
また、このグロメットでは、解除バー１２８を構成する硬質材料製の芯材を、グロメットアウタ１２０を構成する軟質材料１２７の内部に埋め込んでいるので、解除バー１２８の貫通部分から連結壁２１のシールが破れるようなことがない。また、軟質材料１２７で芯材を覆ったことにより、その覆った部分の全体で解除バー１２８を支持することができるので、解除バー１２８の操作時等に局部的に応力がかかることもなく、耐久性の向上を図れる。
【００３５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３６】
【図１】本発明に係るグロメットの第１実施形態の構成を示す断面図である。
【図２】ロックを解除するための操作をしたときの図１のグロメットの状態を示す要部断面図である。
【図３】本発明に係るグロメットの第２実施形態の構成を示す断面図である。
【図４】ロックを解除するための操作をしたときの図３のグロメットの状態を示す要部断面図である。
【図５】従来のグロメットの要部断面図である。
【図６】別の従来のグロメットの断面図である。
【符号の説明】
【００３７】
１０：グロメットインナ
１４：ロックアーム
２０：グロメットアウタ
２１：連結壁
２２：大径筒部
２３：小径筒部
２４：シールリップ
２６，２７：薄肉部
２８：凸部
２８ａ：押圧斜面
１００：パネル
１００ａ：貫通孔
１２０：グロメットアウタ
１２８：解除バー
１２７：軟質材料
【図１】
2008041278.tif 000003
【図２】
2008041278.tif 000004
【図３】
2008041278.tif 000005
【図４】
2008041278.tif 000006
【図５】
2008041278.tif 000007
【図６】
2008041278.tif 000008